(57)【要約】      （修正有）【課題】ヒンジ機構により表示部筐体と本体筺体とを開閉可能に支持し、本体筺体背面にスピーカーを備えた電子機器において、複雑な機構を必要とせず、表示部筺体が開いた状態と表示部筺体が閉じた状態の音の差を小さくする。【解決手段】スピーカー６を設けた第１の筺体３にスピーカーから発せられた音を放音するための第１の放音口３０１をスピーカー正面に加え、第２の放音口３０２を離れた位置に設けた。スピーカーを保持するスピーカー保持部材には第１の開口に加え、第２の放音口へ続く開口または音道を形成し、第２の放音口までの途中には音道の音道開閉部材１８を設ける。表示部筐体２の開閉動作に連動して音道開閉部材が第２の放音口への経路を開閉し、表示部筐体が開いている状態では音道開閉部材は第２の放音口への経路を閉じ、表示部筐体が閉じている状態では音道開閉部材は第２の放音口への経路を開くようにした。【選択図】図１０
2017069886.tif 000002
【特許請求の範囲】
【請求項１】
第１の筺体（３）と、
第２の筺体（２）と、
前記第１の筺体（３）と前記第２の筺体（２）とを開閉可能に支持するヒンジユニット（４）と、
前記第１の筺体（３）内の前記ヒンジユニット（４）が閉じている状態で前記第２の筺体（２）で覆われる位置に配置されたスピーカー（６）と、
前記スピーカー（６）を保持するスピーカー保持部材（１５）と、を有し、
前記第１の筺体（３）には前記スピーカー（６）から発せられた音を放音するための放音口が２つ設けられ、
第１の放音口（３０１）はスピーカー（６）の正面に設けられ、第２の放音口（３０２）は該第１の放音口（３０１）から離れた位置に設けられ、
前記スピーカー保持部材（１５）には該第１の放音口（３０１）に加え、該第２の放音口（３０２）へ続く音道または開口が形成されており、
前記スピーカー（６）から前記第２の放音口（３０２）の間には音道開閉部材（１８）が設けられ、
ヒンジユニット（４）の開閉動作に連動して前記音道開閉部材（１８）が第２の放音口（３０２）への音道を開閉し、
ヒンジユニット（４）が開いている状態では音道開閉部材（１８）は第２の放音口（３０２）への音道を閉じ、ヒンジユニット（４）が閉じている状態では音道開閉部材（１８）は第２の放音口（３０２）への音道を開いた状態になることを特徴とする電子機器。
【請求項２】
前記音道開閉部材（１８）は弾性変形可能な板材より形成されており、
前記板材は前記スピーカー保持部材（１５）に一端を固定されることで第２の放音口（３０２）への音道を形成しており、
該音道開閉部材の先端（１８ｂ）が前記ヒンジユニット（４）回動部の一部に当接可能な位置にあり、
前記音道開閉部材（１８）がヒンジユニット（４）回動部の一部の変位に伴い弾性変形させられることで
第２の放音口（３０２）へ経路を開閉することを特徴とする請求項１に記載の電子機器。
【請求項３】
前記第２の放音口（３０２）は前記第１の筺体（３）のヒンジユニット回動軸（４０４）近傍にあり、前記ヒンジユニット（４）の回動範囲を逃がした開口部を放音口として使用したことを特徴とする請求項１に記載の電子機器。
【発明の詳細な説明】
【技術分野】
【０００１】
本発明は、ヒンジ機構により第１の筐体と第２の筐体とを開閉可能に支持する電子機器に関し、特に第１の筺体に設けたスピーカー開口が第２の筺体によって覆われる構成を有する機器に関する。
【背景技術】
【０００２】
従来より、デジタルカメラやビデオカメラのような電子機器において、ヒンジ機構によって機器本体に回動可能に取り付けられた画像表示部を備えた、いわゆるバリアングル型、チルト型の画像表示部を有した電子機器が普及している。
【０００３】
例えば、２軸のバリアングル型の画像表示部を有した撮像装置では、様々なアングルで被写体を確認しながら撮影ができるように、画像表示部を横に開いた状態であらゆる角度に回転が可能である。１軸のチルト型の画像表示部を有した撮像装置でも１方向ではあるが画像表示部を様々な角度に回転することができ、同様に様々なアングルで被写体を確認しながら撮影を行うことができる。
【０００４】
特許文献１には、画像表示部を備えた表示部筐体と、撮像部を備えた本体筐体と、それぞれを連結するヒンジ部とを備え、ヒンジ部が表示筐体と本体筐体とを開閉および回転可能に連結した２軸ヒンジであるデジタルカメラが記載されている。
【０００５】
また、デジタルカメラやビデオカメラなどの電子機器において、可搬性を向上させるために小型化、薄型化が望まれる傾向にある。画像表示部にタッチパネル式の操作部を搭載した機器も増えており、小型化が望まれている半面、タッチ操作の操作性向上と撮影時の表示領域を確保するために画像表示部は極力大きなサイズにする必要がある。
【０００６】
また、タッチパネル化により本体表面に設ける操作ボタン類は削減される傾向にあるが、撮影状態から再生状態への遷移や、特定のモードへの切替スイッチなどは物理的なボタンの方が操作が確実で起動前に選択可能であり、全てなくすよりも必要最低限なものは残す方が望ましい。
【０００７】
本体の小型化と画像表示部の確保を優先した場合に、本体内においてヒンジ機構部が占めるスペースが少ない１軸のチルト型を搭載した撮像装置が適している。
【０００８】
図１２は１軸チルトヒンジを使用した構成を示している。上記に述べたようにデジタルカメラの小型化と画像表示部の確保を優先し、必要な操作部材、実装部品をレイアウトした構成の一例を示している。図１２（ａ）は表示部筺体１２２を閉じた状態の前面からの斜視図であり、図１２（ｂ）は表示部筺体１２２を閉じた状態の背面からの斜視図であり、図１２（ｃ）は図１２（ｂ）の状態から表示部筺体１２２を約９０度チルトさせた状態を示している。図１２（ｂ）に示すように本体を小型化した結果、表示部筺体１２２は操作性から決まる必要最低限のサイズになり、本体筺体１２３の投影面積は表示部筺体１２２と同等もしくはそれにヒンジ部の制約を加えたサイズになる。デジタルカメラ１２１背面側は画像表示部で占有され、その他の操作ボタン類などを配置することはできない。
【０００９】
さらに本体筺体１２３においては鏡筒や電池、実装部品、操作部材等の部品を効率よく納める必要がある。デジタルカメラにおいて操作部の位置は重要であり、操作性を優先しレイアウトした結果として、図１２（ｂ）のように操作部１２４、コネクト部１２５を本体側面にレイアウトした構成がある。本体上面１２３ａは表示部筺体１２２が１８０度チルトした際に操作しづらくなることを考慮し操作部材は置かれておらず、マイク穴１２６のみがあり、本体内部上面にはケーブルなどの実装部品がレイアウトされる。
【００１０】
また、レイアウトを検討する際にスピーカー１２７は比較的大きく厚みもあるため本体側面に置くことが困難である。本体筺体内部で残された空間と外部に開口できる場所を検討するとスペース効率のよい位置は図１２（ｃ）でスピーカー放音口１２３ｂで示ように本体筺体背面となる。
【００１１】
効率よくレイアウトした構成例については本実施例の中で詳細に後述する。
【００１２】
図１２（ｃ）に示すようにスピーカー放音口１２３ｂは表示部筺体１２２をチルトさせた時にしか露出せず、表示部筺体１２２と本体筺体１２３の間に隙間を設けることで表示部筺体１２２を閉じた状態でもスピーカー１２７の音がユーザーに届くようになっている。
【００１３】
図１３は図１２（ｃ）の断面Ｃ−Ｃでカットした断面図であり、本体筺体１２３に組み付けられたスピーカー１２７とスピーカー保持部材１３１を示している。
【００１４】
スピーカー１２７は本体筺体１２３の背面カバー１２３ｃに対してクッション１３２と防塵シート１３３を介してチャージされた状態で固定され、上下方向へガタつかないようにスピーカー保持部材に両面テープ１３４で固定されている。
【００１５】
スピーカー保持部材１３１は通常、スピーカー１２７の音特性を安定させるためにスピーカー１２７背面は極力開口させずにスピーカー１２７正面から音が出ていくことが望ましい。背面カバー１２３ｃに対してスピーカー１２７を押しつけることで確実に開口部１２３ｂから音を出すように構成している。
【００１６】
本体側にスピーカーを設けることが出来ない場合に表示部筺体側にスピーカーを設けた特許文献２のような方法もある。しかし、本体の小型化のために極力小さくした表示部を更に小さくする必要があるため、タッチパネルで操作する際に画面に表示するボタンが小さくなるもしくは撮影中の表示画像が見えにくくなり操作性が低下するおそれがあった。
【先行技術文献】
【特許文献】
【００１７】
【特許文献１】特開２０１２−１０５０６９号公報
【特許文献２】特許第４３２２９５５号公報
【発明の概要】
【発明が解決しようとする課題】
【００１８】
しかしながら、小型化と薄型化のため本体筺体１２３と表示部筺体１２２の隙間を極力少なく設定していることから、表示部筺体１２２を閉じた時に本体筺体１２３との隙間から出る音量は必要最低限である。一方、表示部筺体１２２を開いた時にスピーカー１２７から出た音は表示部筺体１２２によりホーンと同じ効果で表示部筺体１２２の背面で特定方向に増幅される。よって、表示部筺体１２２を閉じた場合と表示部筺体１２２を開いた場合でユーザーに対する音の聞こえ方が大きく異なるという問題があった。
【００１９】
表示部筺体１２２を開いている場合には音は大きくバランス良く聞こえるが、表示部筺体１２２を閉じている場合には開いている場合に比べ小さく、中低音の音が聞こえにくくなっていた。
【００２０】
そこで、本発明は、ヒンジ機構により表示部筐体と本体筺体とを開閉可能に支持し、本体筺体背面にスピーカーを備えた電子機器において、複雑な機構を必要とせず、表示部筺体が開いた状態と表示部筺体が閉じた状態の音の差を小さくすることを目的とする。
【課題を解決するための手段】
【００２１】
上記の目的を達成するために、請求項１に係る発明の電子機器は、
第１の筺体と、
第２の筺体と、
第１の筺体と第２の筺体とを開閉可能に支持するヒンジユニットと、
第１の筺体内のヒンジユニットが閉じている状態で第２の筺体で覆われる位置に配置されたスピーカーと、
スピーカーを保持するスピーカー保持部材と、を有し、
第１の筺体にはスピーカーから発せられた音を放音するための放音口が２つ設けられ、
第１の放音口はスピーカー正面に設けられ、第２の放音口はその他の離れた位置に設けられ、
スピーカー保持部材には第１の放音口に加え、第２の放音口へ続く開口または音道が形成されており、
スピーカーから第２の放音口の間には音道開閉部材が設けられ、
ヒンジユニットの開閉動作に連動して音道開閉部材が第２の放音口への経路を開閉し、
ヒンジユニットが開いている状態では音道開閉部材は第２の放音口への経路を閉じ、ヒンジユニットが閉じている状態では音道開閉部材は第２の放音口への経路を開いた状態になることを特徴とする。
【００２２】
請求項２に係る発明の電子機器は、請求項１に係る発明の電子機器において、
音道開閉部材は弾性変形可能な板材より形成されており、
板材はスピーカー保持部材に一端を固定されることで第２の放音口への経路を形成しており、
該板材の先端が第２の放音口近傍にてヒンジユニット回動部の一部に当接可能な位置にあり、
板材先端がヒンジユニット回動部の一部により弾性変形させられることで
第２の放音口へ経路を開閉することを特徴とする。
【００２３】
請求項３に係る発明の電子機器は、請求項１に係る発明の電子機器において、
第２の放音口は第１の筺体のヒンジユニット回動軸近傍にあり、ヒンジユニット回動範囲を逃がした開口部を放音口として使用したことを特徴とする。
【発明の効果】
【００２４】
本発明によれば、スピーカーから出た音を通す放音口をスピーカー正面とは別に第２の放音口を設け、ヒンジユニットの回動に連動して第２の放音口への経路を開放もしくは遮断することでヒンジユニットを開いた状態と閉じた状態の音量の差を低減させ、小型化のためにヒンジにより開閉する筺体の内側にスピーカーを設けた電子機器を提供することができる。
【図面の簡単な説明】
【００２５】
【図１】本発明にかかる実施の形態である撮像装置を示した外観斜視図
【図２】本発明にかかる実施の形態である撮像装置の表示部筐体を開いた状態を示す斜視図
【図３】本発明にかかる実施の形態である撮像装置の内部構造を示す正面図および側面図
【図４】本発明にかかる実施の形態である撮像装置の構成要素を示す正面展開図
【図５】本発明にかかる実施の形態である撮像装置のヒンジユニットを示す斜視図
【図６】本発明にかかる実施の形態である撮像装置の実装部品レイアウトを示す透視図
【図７】本発明にかかる実施の形態である撮像装置の基板、スピーカーのレイアウト、層構成を示す分解斜視図
【図８】本発明にかかる実施の形態であるスピーカー保持部材、スピーカー、ベース部材の形状を示す分解斜視図
【図９】本発明にかかる実施の形態であるベース部材、音道開閉部材、ヒンジユニットとの関係を示す分解斜視図
【図１０】本発明にかかる実施の形態であるスピーカーの放音経路とその経路の開閉動作を示す断面図
【図１１】一般的にヒンジユニットを有し、小型化レイアウトを行った撮像装置を示した斜視図
【図１２】一般的なスピーカーの保持、固定方法を示す断面図
【発明を実施するための形態】
【００２６】
以下に、本発明の好ましい実施の形態を、添付の図面に基づいて詳細に説明する。
【００２７】
図１は撮像装置（デジタルカメラ）の一構成例を示した外観斜視図であり、図１（ａ）は前面側から見た外観斜視図、図１（ｂ）は背面側から見た外観斜視図である。
【００２８】
デジタルカメラ１は、表示パネル５を有する表示部筐体２（第２の筐体）と、カメラ本体側の本体筐体３（第１の筐体）と、表示部筐体２と本体筐体３を連結するヒンジ部からなる。
【００２９】
表示パネル５は静電式のタッチパネルを搭載しており、表示パネルに操作ボタンを表示し、その表示されたボタンに対応した位置をタッチすることで機能の切替が行えるようになっている。
【００３０】
タッチ操作により、被写体の選択やシャッターレリーズ操作、ズームイン、ズームアウト操作を行うこともできる。
【００３１】
図２は表示部筐体２を本体筐体３に対して矢印Ａに示す方向に開いた状態を示す斜視図である。
【００３２】
ヒンジ部４は１軸のヒンジ機構を有しており、表示部筐体２が本体筐体３に対して開閉可能に支持されている。なお、本実施の形態では、本体筐体３に対する表示部筐体２の動きを開閉動作としているが、表示部筐体２及び本体筐体３のどちらを基準にしてもよく、表示部筐体２と本体筐体３とが相対的に開閉していればよい。
【００３３】
撮影者がカメラアングルに応じて表示部筐体２の本体筐体３に対する角度を自由に変えられるため、様々な状況に適している。図２（ａ）に示すようにヒンジ部が本体上側で開くと低い位置の被写体を撮影するローアングル撮影に適した状態になる。逆に高い位置から見下ろすように被写体を撮影するハイアングル撮影時には図２（ｂ）に示すようにヒンジ部が本体の下に位置するように本体筺体３を逆さに持つことで対応することができる。
【００３４】
本体筐体３と表示部筐体２とがヒンジユニット４によって連結されていることで、撮影者は撮影を行う体勢に応じて表示部筐体２の本体筐体３に対する角度を自由に変えることができ、ローアングルやハイアングルでも常に被写体を確認しながら撮影を行うことができる。チルト型のヒンジユニット４の回転軸は本体筺体３の内部に設けているため、ヒンジユニット４の収納及び回動範囲を逃がした開口３０２が必要となる。
【００３５】
背景技術で述べた構成と同様、本体の小型化、薄型化により本体背面にスピーカー放音口３０１を設けた構成になっており、内部構成については後述する。
【００３６】
本実施例の本体筺体３の内部のレイアウトについて図３を用いて説明する。図３（ａ）は本体３を正面から見た外観を指示す図であり、図３（ｂ）は正面から見た本体内部の構成要素のレイアウトを示している。図３（ｃ）は本体右側面から見た内部のレイアウトを示している。
【００３７】
デジタルカメラ１は１軸チルトでハイアングルとローアングルに対応するため上下逆の状態でも構えられることを想定して鏡筒ユニット７は本体筺体３の中央に配置しており、左右に空間ができるため、右側に電池８、左側に基板類９を配置している。
【００３８】
図３（ｃ）から分かるように本体を極力小型化・薄型化しようとした場合、正面からの投影面積と本体厚みのトレードオフとなり、正面からの投影面積を小さくした場合には本体厚は電池８の厚みが支配的になってくる。
【００３９】
本実施例ではデジタルカメラとしての総厚を極力薄くするため、本体筺体３の電池収納部は図２に示すように凸形状（３ａ）になり表示部筺体２はそれを避ける形で凹形状（２ａ）にしており、表示部筺体２の空きスペースも利用している。
【００４０】
図４は構成要素をより分かりやすくするために分解して表示した図である。
【００４１】
鏡筒ユニット７、電池８、基板類９、上部フレキシブルケーブル１０とこれらの構成要素がすべて組付けられるヒンジユニット４を示している。上部フレキシブルケーブル１０にはマイク１０ａやＬＥＤライト１０ｂ、電池端子１０ｃ、表示部筺体２から引き出されるケーブルのコネクタ部１０ｄが実装されている。ヒンジユニット４のヒンジ部は本体筺体３の上面の背面寄りにレイアウトされており、表示部筺体側に組まれているケーブル４０７は本体筺体３の上面中央でヒンジユニット４のシャフト４０４をのりこえて上部フレキシブルケーブル１０に接続される。
【００４２】
図５はヒンジユニット４を示す斜視図であり、開いた状態を示している。
【００４３】
ヒンジユニット４は本体フレーム４０２と表示部フレーム４０３がシャフト４０４によって回動可能に支持されておりシャフト４０４と表示部フレーム４０３が溶接部４０５で固定され、本体フレーム４０２に対して表示部フレーム４０３と回転軸４０４が一体となって回動する。任意の角度で表示部フレーム４０３を保持するために回転軸４０４はトルク発生機構４０６により挟み込まれている。
【００４４】
表示部筺体２の開き量を規制するために表示部フレーム４０３の先端には突き当て部４０３ａが左右に設けられており、本実施形では表示部フレームが約９０度開いた際に突き当て部４０３ａが本体フレーム４０２に突き当たることで開き量を規制している。
【００４５】
表示部フレーム４０３は極力薄型化するため実装部品を避けるための穴４０３ｂが多数設けられている。
【００４６】
図６は図３（ｂ）に示した鏡筒ユニット７の左側の実装部品のレイアウトを説明する図である。
【００４７】
実装部品は複数の層になって構成されており、図６（ａ）から図６（ｃ）までの大きく３段で示している。
【００４８】
図６（ａ）に示すように最前面側にはメイン基板９がある。メイン基板９はＣＰＵを備えており画像処理やカメラ全体の制御を行っている。図６（ｂ）はメイン基板９の下の層の実装部品について示した図である。メイン基板９の下層上方には無線通信用基板１１があり、下方にはサブ基板１２があり表面にＵＳＢコネクタ１２ａ、スピーカーのコネクタ１２ｂが実装されている。図６（ｃ）に示すように無線通信用基板１１のさらに下の層にはスピーカー６が配置され、説明のため非表示にしているサブ基板１２の背面にはボタン電池１２ｃとマイクロＳＤスロット１２ｄが実装されていることを示している。マイクロＳＤスロット１２ｄに関してもメイン基板９にはスペース上、実装困難であったことと、デザインと操作性を検討した結果本体筺体３の最背面にレイアウトしている。
【００４９】
図７はこれまでに説明した本体筺体３左側部を展開した斜視図である。
【００５０】
図６では実装部品のみを説明したが、実際は上部フレキシブルケーブル１０、メイン基板９、放熱板ユニット１４、無線通信基板１１、中間のフレキシブルケーブル１３、スピーカー保持部材１５、サブ基板１２、スピーカー６、ヒンジユニット４の順で複数の層になって配置されている。
【００５１】
放熱板ユニット１４はメイン基板９の背面に本体内向きで実装されたＣＰＵ９ａの熱を移送するために設けられており、メイン基板９とスピーカー保持部材１５の間で弾性部材１４ｂにより中間フレキシブルケーブル１３を挟み込みつつチャージされ放熱板１４ａに貼った熱伝導シート１４ａがＣＰＵ９ａに密着するように保持されている。
【００５２】
中間フレキシブルケーブル１３はメイン基板９と無線通信基板１１とサブ基板１２を接続しており、本体筺体３側面の操作部のスイッチも実装されている。スピーカー６はサブ基板１２にコネクタ１２ｂにより接続されている。スピーカー保持部材１５はスピーカー６のほかにモード切り替えスイッチ１５１も保持している。ベース部材１６は上部フレキシブルケーブル１０の保持、基板の保持のために設けられており、ヒンジユニット４が回動して表示部フレーム４０３が移動した際に内部が見えないようにする目隠しも兼ねている。サイドカバー１７はボタン１７１とストラップ取り付け部１７２で構成されており組立の終盤で取り付けられる。
【００５３】
以上のように基板やその他の部品を３層以上にわたって重ねてレイアウトすることにより本体サイズの小型化を実現している。
【００５４】
図８、図９を用いて本実施例の特徴となるスピーカー保持部材１５とベース部材１６、音道開閉部材１８について説明する。
【００５５】
図８はスピーカー保持部材１５とスピーカー６及び音道開閉部材１８を示す斜視図であり、図８（ａ）は本体背面側から見たスピーカー保持部材１５とスピーカー６を示しており、図８（ｂ）は本体正面側から見たスピーカー保持部材１５と音道開閉部材１８を示している。
【００５６】
図８（ａ）に示すようにスピーカー保持部材１５のスピーカー収納凹部１５ａにスピーカー６が取り付くようになっており、開口部１５ｂはコネクタ６ａ及びリード線６ｂを通すために設けられている。スピーカー６の外形とスピーカー収納凹部１５ａにより位置決めされスピーカー６の背面は不図示の正面テープなどの粘着部材により固定される。スピーカー保持部材１５には開口部１５ｂとは別にスピーカー６背面からの音を通すための開口部１５ｃが設けられている。
【００５７】
図８（ｂ）に示すようにスピーカー保持部材１５には開口部１５ｃから本体上面へ向けてＵ溝１５ｄが設けられている。スピーカー保持部材１５には音道開閉部材１８がとりつけ面１５ｅに対して固定され、Ｕ溝１５ｄは音道開閉部材１８により開口が覆われることによりスピーカー６背面側の音を導く音道を形成する。音道開閉部材１８はＳＵＳ４３０やリン青銅などの弾性変形可能な薄い板材であり、位置決めボス１５ｆ、１５ｇを熱カシメすることで位置決め、固定される。必要に応じてカシメ箇所を増やすことでより気密性を上げることができる。
【００５８】
音道開閉部材１８は変形部１８ａを支点に弾性変形可能であり、弾性変形することで音道開閉部材先端１８ｂが変位可能になっている。また、音道開閉部材１８のＵ溝１５ｄにはめこまれる部分はコの字型１８ｃに加工されており、音道開閉部材１８が変位した際も音道に大きな隙間が生じないようになっている。音道出口となるＵ溝１５ｄ先端にはリブ１５ｈが設けられており、リブ１５ｈの両端には音道開閉部材１８のコの字曲げ部１５ｃ先端を逃げたスリット１５ｉが設けられている。スピーカー保持部材１５と音道開閉部材１８のみを組付けた状態では音道開閉部材１８先端とＵ溝１５ｄ先端のリブ１５ｈが突き当たることにより、Ｕ溝１５ｄによる音道は閉じた状態となる。
【００５９】
図９は音道開閉部材１８とベース部材１６およびヒンジユニット４の関係を示すための斜視図である。図９（ａ）は本体背面側からのベース部材１６を示す斜視図であり、図９（ｂ）はスピーカー保持部材１５と音道開閉部材１８、ベース部材１６を組み合わせた状態とヒンジユニット４の関係を説明するための本体背面側からの斜視図である。
【００６０】
図９（ａ）に示すようにベース部材１６にはヒンジユニット４の回動範囲を逃げた形で目隠し用の壁１６ａがあり、目隠し用の壁１６ａに開口部１６ｂが設けられている。開口部１６ｂを設けることにより、スピーカー６背面からＵ溝１５ｄを通ってきた音が開口部１６ｂから本体筺体３の開口部３０２へ抜けることができる。
【００６１】
図９（ｂ）に示すようにベース部材１６の開口部１６ｂからは音道開閉部材１８の先端部１８ｂが突出可能になっており、矢印Ｂに示すようにヒンジユニット４に組み付けると表示部フレーム４０３の突き当て部４０３ａに音道開閉部材先端部１８ｂが接触する。ヒンジユニット４を閉じた状態の場合突き当て部４０３ａが音道開閉部材１８ｂの先端を押し、音道開閉部材１８は弾性変形した状態になる。このことよりヒンジユニット４を閉じた状態で音道は開いた状態になる。また、表示部フレーム４０３の回動軸４０４近傍には切り欠き４０３ｂを設けることでより音が通りやすくしている。
【００６２】
図１０はＵ溝１５ｄ部分に沿って切った断面図であり、図１０（ａ）は表示部筺体２が開いた状態、図１０（ｂ）は表示部筺体２が閉じた状態を示している。
【００６３】
図１０（ａ）に示すように表示部筺体２が開いた状態では音道開閉部材１８の先端１８ｂはＵ溝出口に設けたリブ１５ｈに接しており、音道開閉部材１８はフラットな状態である。この時スピーカー保持部材１５背面の音道はリブ１５ｈと音道開閉部材１８が閉じることで塞がれており、スピーカー６からスピーカー保持部材１５背面側へ向かった音はスピーカー保持部材のＵ溝１５ｄから出ることは無く、スピーカー６正面の放音口３０１からのみ音が発せられる。
【００６４】
図１０（ｂ）に示すように表示部筺体２が閉じている状態ではヒンジユニット４の表示部フレームの突き当て部４０３ａが音道開閉部材１８の先端１８ｂを押すことで音道開閉部材１８が弾性変形し、スピーカー保持部材Ｕ溝内のリブ１５ｈと音道開閉部材１８の隙間ができる。スピーカー６からスピーカー保持部材１５背面側へ向かった音はスピーカー保持部材１５のＵ溝１５ｂ、ベース部材１６の開口部１６ｂの順に通り、本体筺体３のヒンジ部開口３０２から放音される。よって、本体筺体３背面の放音口３０１からの音とヒンジ部開口部３０２からの音が両方届くことになり、結果として表示部筺体２を閉じている時と開いている時の音量の差を縮めることができる。
【００６５】
以上説明したとおり、本体筺体内に駆動源、駆動機構を配置することなくヒンジユニットの開閉動作に連動して第２の放音口を開閉できるため、構造も単純でコストも抑えつつ、表示部筺体の開閉による音量の変化を小さくすることがでる。そして本体の小型化、表示パネルの大型化による制約により本体筺体背面にスピーカーを置かざるをえない場合にも実用上問題無くすることでスピーカーの選択肢を増やし、デザインへの制約を少なくすることができる。
【００６６】
以上、本発明の好ましい実施形態について説明したが、本発明はこれらの実施形態に限定されず、その要旨の範囲内で種々の変形及び変更が可能である。例えば、ヒンジ機構により第１の筐体と第２の筐体とを開閉可能に支持する電子機器にであって、どちらか一方の筺体にスピーカーが設けられ、スピーカーの放音口が他方の筺体により覆われる場合にヒンジ回動に連動して第２の放音口の開閉を行う電子機器であれば、上述した撮像装置以外の電子機器でも適用できる。
【符号の説明】
【００６７】
１  デジタルカメラ、２  表示部筺体、３  本体筺体、４  ヒンジユニット、
４０１  ヒンジ部、４０２  本体フレーム、４０３  表示部フレーム、
４０３ａ  突き当て部、４０４  回転軸、４０５  連結部、４０６  トルク発生機構、
４０７  表示部側ケーブル、５  表示パネル、６  スピーカー、７  鏡筒ユニット、
８  電池、９  メイン基板、１０  上部フレキシブルケーブル、１１  無線通信用基板、
１２  サブ基板、１３  中間フレキシブルケーブル、１４  放熱板ユニット、
１５  スピーカー保持部材、１６  ベース部材、１７  サイドカバー、
１８  音道開閉部材
【図１】
2017069886.tif 000003
【図２】
2017069886.tif 000004
【図３】
2017069886.tif 000005
【図４】
2017069886.tif 000006
【図５】
2017069886.tif 000007
【図６】
2017069886.tif 000008
【図７】
2017069886.tif 000009
【図８】
2017069886.tif 000010
【図９】
2017069886.tif 000011
【図１０】
2017069886.tif 000012
【図１１】
2017069886.tif 000013
【図１２】
2017069886.tif 000014